(57)【特許請求の範囲】
【請求項１】
メモリ、プロセッサ、通信インタフェースを備えた通信装置であって、
前記メモリは、データ・フロー識別子と物理層送信技術識別子の間のマッピング情報を格納するように構成され、
前記プロセッサは、スケジュールすべきデータ・フローを決定し、前記マッピング情報および前記データ・フローのデータ・フロー識別子に従って、前記データ・フローに対応する物理層送信技術識別子を決定し、様々な物理層送信技術識別子に対応するデータ・フローに従って異なるトランスポート・ブロックを生成し、前記物理層送信技術識別子に対応する物理層送信技術に従って、前記物理層送信技術識別子に対応するトランスポート・ブロックに処理を実施することによって無線通信データを生成し、前記通信インタフェースを用いることによって前記無線通信データを受信端に送信するように構成され、各物理層送信技術識別子はトランスポート・ブロックの１つのタイプに対応する、
通信装置。
【請求項２】
前記通信装置が基地局であり前記受信端がユーザ機器であるとき、前記プロセッサは、前記通信インタフェースを用いることによって前記無線通信データを受信端に送信する前に、前記受信端が前記物理層送信技術識別子に対応する前記物理層送信技術に従って前記無線通信データを解析することによって前記トランスポート・ブロックを取得して、前記データ・フローを取得するように、前記通信インタフェースを用いることによって、前記無線通信データに対応するダウンリンク・スケジューリング情報を前記受信端に送信するようにさらに構成され、前記ダウンリンク・スケジューリング情報は前記無線通信データに対応する前記物理層送信技術識別子を運搬する、請求項１に記載の通信装置。
【請求項３】
前記通信装置がユーザ機器であり前記受信端が基地局であるとき、前記プロセッサは、スケジュールすべきデータ・フローを決定する前に、前記通信インタフェースを用いることによって、前記受信端により送信されたアップリンク・スケジューリング情報を受信するようにさらに構成され、前記アップリンク・スケジューリング情報は前記物理層送信技術識別子に対応する時間周波数リソース情報を運搬し、
前記プロセッサは特に、
前記物理層送信技術識別子に対応する前記時間周波数リソース情報に従って、前記無線通信データに対応する前記物理層送信技術に対応する時間周波数リソースを決定し、
前記受信端が、前記無線通信データに使用される前記時間周波数リソースに対応する前記物理層送信技術に従って前記無線通信データを解析することによって前記トランスポート・ブロックを取得して、前記データ・フローを取得するように、前記時間周波数リソースを用いることによって前記無線通信データを前記受信端に送信する
ように構成される、請求項１に記載の通信装置。
【請求項４】
前記アップリンク・スケジューリング情報はさらに、前記データ・フロー識別子と前記物理層送信技術識別子の間の対応関係を運搬し、
前記プロセッサは、スケジュールすべきデータ・フローを決定する前に、前記データ・フロー識別子と前記アップリンク・スケジューリング情報で運搬される前記物理層送信技術識別子との間の前記対応関係に従って前記マッピング情報を更新するようにさらに構成される、
請求項３に記載の通信装置。
【請求項５】
前記データ・フロー識別子は、媒体アクセス制御サブレイヤでの論理チャネル識別子ＬＣＩＤ、パケットデータ集線プロトコルＰＤＣＰサブレイヤまたは無線リンク制御ＲＬＣサブレイヤで使用される機能エンティティ番号、またはデータ・フローが前記通信装置で実装されているときデータ・フローを特定するために使用されるネットワーク送信ポート番号またはトンネル・エンドポイント識別子であり、
前記物理層送信技術識別子は、波形技術の識別子、符号化技術の識別子、高次変調技術の識別子、および空間変調技術の識別子の１つまたは任意の組合せを含む、
請求項１乃至４の何れか１項に記載の通信装置。
【請求項６】
プロセッサと通信インタフェースを備えた通信装置であって、
前記プロセッサは、前記通信インタフェースを用いることによって、送信端により送信された無線通信データを受信し、前記無線通信データに対応する物理層送信技術を決定し、前記決定された物理層送信技術に従って前記無線通信データを解析することによって、前記無線通信データに対応するトランスポート・ブロックを取得し、前記無線通信データに対応する前記トランスポート・ブロックに含まれるデータ・フローを取得するように構成される、
通信装置。
【請求項７】
前記通信装置がユーザ機器であり前記送信端が基地局であるとき、前記プロセッサは、前記通信インタフェースを用いることによって、送信端により送信された無線通信データを受信する前に、前記無線通信データに対応し前記送信端により送信されたダウンリンク・スケジューリング情報を受信するようにさらに構成され、前記ダウンリンク・スケジューリング情報は前記無線通信データに対応する物理層送信技術識別子を運搬し、
前記プロセッサは特に、前記物理層送信技術識別子に従って、前記無線通信データに対応する物理層送信技術を決定するように構成される、
請求項６に記載の通信装置。
【請求項８】
前記通信装置が基地局であり前記送信端がユーザ機器であるとき、前記プロセッサは、前記通信インタフェースを用いることによって、送信端により送信された無線通信データを受信する前に、様々な物理層送信技術に対して異なる時間周波数リソースを割り当て、前記通信インタフェースを用いることによってアップリンク・スケジューリング情報を前記送信端に送信するようにさらに構成され、前記アップリンク・スケジューリング情報は前記物理層送信技術識別子に対応する時間周波数リソース情報を運搬し、その結果、前記送信端が、前記無線通信データに対応する前記物理層送信技術に対応する時間周波数リソースを決定し、前記決定された時間周波数リソースを用いることによって前記無線通信データを前記通信装置に送信し、
前記プロセッサは特に、前記無線通信データに使用される前記時間周波数リソースに従って、前記無線通信データに対応する前記物理層送信技術を決定するように構成される、
請求項６に記載の通信装置。
【請求項９】
前記プロセッサは、前記通信インタフェースを用いることによってアップリンク・スケジューリング情報を前記送信端に送信する前に、前記データ・フローに対して物理層送信技術を割り当てるようにさらに構成され、
前記アップリンク・スケジューリング情報はさらに、前記データ・フロー識別子と前記物理層送信技術識別子の間の対応関係を運搬し、その結果、前記送信端が、前記データ・フロー識別子と前記アップリンク・スケジューリング情報で運搬される前記物理層送信技術識別子との間の前記対応関係に従って、データ・フロー識別子と物理層送信技術識別子の間のマッピング情報を前記送信端で更新する、
請求項８に記載の通信装置。
【請求項１０】
前記データ・フロー識別子は、媒体アクセス制御サブレイヤでの論理チャネル識別子ＬＣＩＤ、パケットデータ集線プロトコルＰＤＣＰサブレイヤまたは無線リンク制御ＲＬＣサブレイヤで使用される機能エンティティ番号、またはデータ・フローが前記通信装置で実装されているときデータ・フローを特定するために使用されるネットワーク送信ポート番号またはトンネル・エンドポイント識別子であり、
前記物理層送信技術識別子は、波形技術の識別子、符号化技術の識別子、高次変調技術の識別子、または空間変調技術の識別子の１つまたは任意の組合せを含む、
請求項６乃至９の何れか１項に記載の通信装置。
【請求項１１】
データ送信方法であって、データ・フロー識別子と物理層送信技術識別子の間のマッピング情報が送信端に格納され、前記マッピング情報が前記データ・フロー識別子と前記物理層送信技術識別子の間の対応関係を含み、前記方法は、
前記送信端によって、スケジュールすべきデータ・フローを決定するステップと、
前記送信端によって、前記マッピング情報から、前記データ・フローのデータ・フロー識別子に従って、前記データ・フローに対応する物理層送信技術識別子を決定するステップと、
前記送信端によって、異なるトランスポート・ブロックを様々な物理層送信技術識別子に対応するデータ・フローに従って生成して、前記トランスポート・ブロックを用いることによって前記データ・フローを受信端に送信するステップであって、各物理層送信技術識別子はトランスポート・ブロックの１つのタイプに対応する、ステップと、
前記送信端によって、前記物理層送信技術識別子に対応する物理層送信技術に従って、前記物理層送信技術識別子に対応するトランスポート・ブロックに処理を実施することによって無線通信データを生成するステップと、
前記送信端によって、前記無線通信データを前記受信端に送信するステップと、
を含む、方法。
【請求項１２】
前記送信端が基地局であり前記受信端がユーザ機器であるとき、前記送信端によって、前記無線通信データを前記受信端に送信する前に、前記方法はさらに、
前記送信端によって、前記無線通信データに対応するダウンリンク・スケジューリング情報を前記受信端に送信するステップであって、前記ダウンリンク・スケジューリング情報は前記無線通信データに対応する前記物理層送信技術識別子を運搬し、その結果、前記受信端が前記物理層送信技術識別子に対応する前記物理層送信技術に従って前記無線通信データを解析することによって前記トランスポート・ブロックを取得し、前記データ・フローを取得する、ステップ
を含む、請求項１１に記載の方法。
【請求項１３】
前記送信端がユーザ機器であり前記受信端が基地局であるとき、前記送信端によって、スケジュールすべきデータ・フローを決定する前に、前記方法はさらに、
前記送信端によって、前記受信端により送信されたアップリンク・スケジューリング情報を受信するステップであって、前記アップリンク・スケジューリング情報は前記物理層送信技術識別子に対応する時間周波数リソース情報を運搬する、ステップと、
を含み、
前記送信端によって、前記無線通信データを前記受信端に送信するステップは特に、
前記送信端によって、前記物理層送信技術識別子に対応する時間周波数リソース情報に従って、前記無線通信データに対応する前記物理層送信技術に対応する時間周波数リソースを決定するステップと、
前記受信端が、前記無線通信データに使用される前記時間周波数リソースに対応する前記物理層送信技術に従って前記無線通信データを解析することによって前記トランスポート・ブロックを取得して前記データ・フローを取得するように、前記送信端によって、前記時間周波数リソースを用いることによって、前記無線通信データを前記受信端に送信するステップと、
である、請求項１１に記載の方法。
【請求項１４】
前記アップリンク・スケジューリング情報はさらに、前記データ・フロー識別子と前記物理層送信技術識別子の間の対応関係を運搬し、
前記送信端によって、スケジュールすべきデータ・フローを決定する前に、前記方法はさらに、前記送信端によって、前記データ・フロー識別子と前記アップリンク・スケジューリング情報で運搬される前記物理層送信技術識別子との間の前記対応関係に従って前記マッピング情報を更新するステップを含む、
請求項１３に記載の方法。
【請求項１５】
前記データ・フロー識別子は、媒体アクセス制御サブレイヤでの論理チャネル識別子ＬＣＩＤ、パケットデータ集線プロトコルＰＤＣＰサブレイヤまたは無線リンク制御ＲＬＣサブレイヤで使用される機能エンティティ番号、またはデータ・フローが通信装置で実装されているときデータ・フローを特定するために使用されるネットワーク送信ポート番号またはトンネル・エンドポイント識別子であり、
前記物理層送信技術識別子は、波形技術の識別子、符号化技術の識別子、高次変調技術の識別子、または空間変調技術の識別子の１つまたは任意の組合せを含む、
請求項１１乃至１４の何れか１項に記載の方法。
【請求項１６】
受信端により、送信端により送信された無線通信データを受信するステップと、
前記受信端により、前記無線通信データに対応する物理層送信技術を決定するステップと、
前記受信端により、前記決定された物理層送信技術に従って前記無線通信データを解析することによって、前記無線通信データに対応するトランスポート・ブロックを取得するステップと、
前記受信端により、前記無線通信データに対応する前記トランスポート・ブロックに含まれるデータ・フローを取得するステップと、
を含む、データ送信方法。
【請求項１７】
前記受信端がユーザ機器であり前記送信端が基地局であるとき、前記受信端により、送信端により送信された無線通信データを受信する前に、前記方法はさらに、前記受信端により、前記無線通信データに対応し前記送信端により送信されたダウンリンク・スケジューリング情報を受信するステップであって、前記ダウンリンク・スケジューリング情報は前記無線通信データに対応する物理層送信技術識別子を運搬する、ステップを含み、
前記受信端により、前記無線通信データに対応する物理層送信技術を決定するステップは特に、前記受信端により、前記物理層送信技術識別子に従って、前記無線通信データに対応する物理層送信技術を決定するステップである、
請求項１６に記載の方法。
【請求項１８】
前記受信端が基地局であり前記送信端がユーザ機器であるとき、受信端により、送信端により送信された無線通信データを受信する前に、前記方法はさらに、
前記受信端により、様々な物理層送信技術に対する異なる時間周波数リソースを割り当てるステップと、
前記受信端により、アップリンク・スケジューリング情報を前記送信端に送信するステップであって、前記アップリンク・スケジューリング情報は前記物理層送信技術識別子に対応する時間周波数リソース情報を運搬し、その結果、前記送信端が、前記無線通信データに対応する前記物理層送信技術に対応する時間周波数リソースを決定し、前記決定された時間周波数リソースを用いることによって前記無線通信データを前記受信端に送信する、ステップと、
を含み、
前記受信端により、前記無線通信データに対応する物理層送信技術を決定するステップは特に、前記受信端により、前記無線通信データに使用される前記時間周波数リソースに従って、前記無線通信データに対応する前記物理層送信技術を決定するステップある、
請求項１６に記載の方法。
【請求項１９】
前記受信端により、アップリンク・スケジューリング情報を前記送信端に送信する前に、前記方法はさらに、前記受信端により、前記データ・フローに対する物理層送信技術を割り当てるステップを含み、
前記アップリンク・スケジューリング情報はさらに、前記送信端が、前記データ・フロー識別子と前記アップリンク・スケジューリング情報で運搬される前記物理層送信技術識別子との間の対応関係に従って、データ・フロー識別子と物理層送信技術識別子の間のマッピング情報を前記送信端で更新するように、前記データ・フロー識別子と前記物理層送信技術識別子の間の対応関係を運搬する、
請求項１８に記載の方法。
【請求項２０】
前記データ・フロー識別子は、媒体アクセス制御サブレイヤでの論理チャネル識別子ＬＣＩＤ、パケットデータ集線プロトコルＰＤＣＰサブレイヤまたは無線リンク制御ＲＬＣサブレイヤで使用される機能エンティティ番号、またはデータ・フローが通信装置で実装されているときデータ・フローを特定するために使用されるネットワーク送信ポート番号またはトンネル・エンドポイント識別子であり、
前記物理層送信技術識別子は、波形技術の識別子、符号化技術の識別子、高次変調技術の識別子、または空間変調技術の識別子の１つまたは任意の組合せを含む、
請求項１６乃至１９の何れか１項に記載の方法。
【発明の詳細な説明】
【技術分野】
【０００１】
本発明は通信技術の分野に関し、特に、データ送信方法および通信装置に関する。
【背景技術】
【０００２】
無線通信システムの発展とともに、単一キャリア周波数分割多重アクセス（Ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）および直交周波数分割多重（Ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）がそれぞれ、無線スペクトル効率を高めるために、アップリンク・データ送信とダウンリンク・データ送信に使用されている。ＯＦＤＭシステムは周波数同期に対する高い要件を有し、周波数オフセットと位相雑音はＯＦＤＭシステムの性能に対して相対的に高い影響を及ぼす。したがって、ＯＦＤＭシステムは幾つかの場合には適用不能であり、別のマルチ・キャリア変調技術を考慮する必要がある。さらに、データ・サービスの多様化とともに、様々な送信要件が生ずる。例えば、幾つかのマシン・タイプ通信（Ｍａｃｈｉｎｅ  ｔｙｐｅ  ｃｏｍｍｕｎｉｃａｔｉｏｎｓ、ＭＴＣ）サービスにおいて、データは定期的に送信され、データ量は小さく、マシン間（Ｍａｃｈｉｎｅ−Ｔｏ−Ｍａｃｈｉｎｅ、Ｍ２Ｍ）端末装置は一般に相対的に長いサービス寿命を有し、したがって、エネルギ節約は困難な課題である。電力節約効果を実現するためのシグナリング連携を減らすために、ユニバーサル・フィルタード・マルチキャリア（Ｕｎｉｖｅｒｓａｌ  ｆｉｌｔｅｒｅｄ  ｍｕｌｔｉｃａｒｒｉｅｒ、ＵＦＭＣ）、フィルタ・バンク・マルチキャリア（Ｆｉｌｔｅｒ  ｂａｎｋ  ｍｕｌｔｉｃａｒｒｉｅｒ、ＦＢＭＣ）、汎用周波数分割多重（Ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ、ＧＦＤＭ）、双直交周波数分割多重（Ｂｉ−ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＢＦＤＭ）のような、同期に関する要件があまり高くない幾つかの物理層送信技術を使用することがより適切である。さらに、同期に関する要件が高くないこれらの物理層送信技術はさらに、送信ネットワーク同期に関する要件を減らすことができ、協調送信の性能を高めることができる。
【０００３】
しかし、既存のデータ送信では、同一のユーザ機器の複数のタイプのサービス・データは媒体アクセス制御（Ｍｅｄｉａ  ａｃｃｅｓｓ  ｃｏｎｔｒｏｌ、ＭＡＣ）層で多重化され、データ・フローは物理（Ｐｈｙｓｉｃａｌ、ＰＨＹ）層では区別されない。したがって、様々な物理層送信技術を、同一のユーザ機器の複数のデータ・フローに対して選択することはできない。結果として、スペクトルのリソースを十分に使用することができず、送信効率は高くない。
【発明の概要】
【課題を解決するための手段】
【０００４】
これに鑑み、本発明の諸実施形態ではデータ送信方法およびユーザ機器を提供し、その結果、様々な物理層送信技術を同一のユーザ機器の複数のデータ・フローに使用でき、スペクトルのリソースが十分に使用され送信効率が向上する。
【０００５】
第１の態様によれば、本発明の１実施形態では通信装置を提供する。当該通信装置は、メモリ、プロセッサと通信インタフェースを備える。当該メモリは、データ・フロー識別子と物理層送信技術識別子の間のマッピング情報を格納するように構成され、当該マッピング情報は、当該データ・フロー識別子と当該物理層送信技術識別子の間の対応関係を含み、当該プロセッサは、スケジュールすべきデータ・フローを決定し、当該マッピング情報から、当該データ・フローのデータ・フロー識別子に従って、当該データ・フローに対応する物理層送信技術識別子を決定し、様々な物理層送信技術識別子に対応するデータ・フローに従って異なるトランスポート・ブロックを生成し、当該物理層送信技術識別子に対応する物理層送信技術に従って、当該物理層送信技術識別子に対応するトランスポート・ブロックに処理を実施することによって無線通信データを生成し、当該通信インタフェースを用いることによって当該無線通信データを受信端に送信するように構成される。各物理層送信技術識別子はトランスポート・ブロックの１つのタイプに対応する。
【０００６】
第１の態様の第１の可能な実装方式において、通信装置が基地局であり受信端がユーザ機器であるとき、当該プロセッサは、当該通信インタフェースを用いることによって当該無線通信データを受信端に送信する前に、当該通信インタフェースを用いることによって、当該無線通信データに対応するダウンリンク・スケジューリング情報を受信端に送信するようにさらに構成される。当該ダウンリンク・スケジューリング情報は当該無線通信データに対応する物理層送信技術識別子を運搬し、その結果、受信端が当該物理層送信技術識別子に対応する物理層送信技術に従って当該無線通信データを解析することによって当該トランスポート・ブロックを取得し、当該データ・フローを取得する。
【０００７】
第１の態様の第１の可能な実装方式を参照して、第２の可能な実装方式では、当該プロセッサは特に、処理、即ち、スクランブリング、チャネル符号化、および速度マッチングを、複数の無線通信データに対応するダウンリンク・スケジューリング情報に別々に実施し、全ての処理されたダウンリンク・スケジューリング情報を多重化することによってダウンリンク・スケジューリング情報グループを生成し、当該ダウンリンク・スケジューリング情報グループをダウンリンク制御チャネルで運搬し、当該通信インタフェースを用いることによって当該ダウンリンク・スケジューリング情報グループを受信端に送信するように構成される。
【０００８】
第１の態様の第１の可能な実装方式を参照して、第３の可能な実装方式では、当該プロセッサは特に、複数の無線通信データに対応するダウンリンク・スケジューリング情報を多重化することによってダウンリンク・スケジューリング情報グループを生成し、処理、即ち、スクランブリング、チャネル符号化および速度マッチングを当該ダウンリンク・スケジューリング情報グループに実施し、処理されたダウンリンク・スケジューリング情報グループをダウンリンク制御チャネルで運搬し、当該通信インタフェースを用いることによって当該処理されたダウンリンク・スケジューリング情報グループを受信端に送信するように構成される。
【０００９】
第１の態様の第４の可能な実装方式では、通信装置がユーザ機器であり受信端が基地局であるとき、当該プロセッサは、スケジュールすべきデータ・フローを決定する前に、当該通信インタフェースを用いることによって、受信端により送信されたアップリンク・スケジューリング情報を受信するようにさらに構成され、当該アップリンク・スケジューリング情報は当該物理層送信技術識別子に対応する時間周波数リソース情報を運搬し、当該プロセッサは特に、当該物理層送信技術識別子に対応する時間周波数リソース情報に従って、当該無線通信データに対応する物理層送信技術に対応する時間周波数リソースを決定し、受信端が、当該無線通信データに使用される時間周波数リソースに対応する物理層送信技術に従って当該無線通信データを解析することによって当該トランスポート・ブロックを取得し、当該データ・フローを取得するように、当該時間周波数リソースを用いることによって当該無線通信データを受信端に送信するように構成される。
【００１０】
第１の態様の第４の可能な実装方式を参照して、第５の可能な実装方式では、当該アップリンク・スケジューリング情報はさらに、データ・フロー識別子と物理層送信技術識別子の間の対応関係を運搬し、当該プロセッサは、スケジュールすべきデータ・フローを決定する前に、当該データ・フロー識別子と当該アップリンク・スケジューリング情報で運搬される物理層送信技術識別子との間の対応関係に従ってマッピング情報を更新するようにさらに構成される。
【００１１】
第２の態様によれば、本発明の１実施形態ではユーザ機器を提供する。当該ユーザ機器はプロセッサと通信インタフェースを備え、当該プロセッサは、当該通信インタフェースを用いることによって、送信端により送信された無線通信データを受信し、当該無線通信データに対応する物理層送信技術を決定し、当該決定された物理層送信技術に従って当該無線通信データを解析することによって、当該無線通信データに対応するトランスポート・ブロックを取得し、当該無線通信データに対応する当該トランスポート・ブロックに含まれるデータ・フローを取得するように構成される。
【００１２】
第２の態様の第１の可能な実装方式では、通信装置がユーザ機器であり送信端が基地局であるとき、当該プロセッサは、当該通信インタフェースを用いることによって、送信端により送信された無線通信データを受信する前に、当該無線通信データに対応し送信端により送信されたダウンリンク・スケジューリング情報を受信するようにさらに構成され、当該ダウンリンク・スケジューリング情報は当該無線通信データに対応する物理層送信技術識別子を運搬し、当該プロセッサは特に、当該物理層送信技術識別子に従って、当該無線通信データに対応する物理層送信技術を決定するように構成される。
【００１３】
第２の態様の第２の可能な実装方式では、通信装置が基地局であり送信端がユーザ機器であるとき、当該プロセッサは、通信インタフェースを用いることによって、送信端により送信された無線通信データを受信する前に、様々な物理層送信技術に対して異なる時間周波数リソースを割り当て、当該通信インタフェースを用いることによってアップリンク・スケジューリング情報を送信端に送信するようにさらに構成される。当該アップリンク・スケジューリング情報は当該物理層送信技術識別子に対応する時間周波数リソース情報を運搬し、その結果、送信端が、当該無線通信データに対応する物理層送信技術に対応する時間周波数リソースを決定し、当該決定された時間周波数リソースを用いることによって当該無線通信データを当該通信装置に送信する。当該プロセッサは特に、当該無線通信データに使用される時間周波数リソースに従って、当該無線通信データに対応する物理層送信技術を決定するように構成される。
【００１４】
第２の態様の第２の可能な実装方式を参照して、第３の可能な実装方式では、当該プロセッサは、通信インタフェースを用いることによってアップリンク・スケジューリング情報を送信端に送信する前に、データ・フローに対して物理層送信技術を割り当てるようにさらに構成される。当該アップリンク・スケジューリング情報はさらに、データ・フロー識別子と物理層送信技術識別子の間の対応関係を運搬し、その結果、送信端が、当該データ・フロー識別子と当該アップリンク・スケジューリング情報で運搬される物理層送信技術識別子との間の対応関係に従って、データ・フロー識別子と物理層送信技術識別子の間のマッピング情報を送信端で更新する。
【００１５】
第２の態様の第２の可能な実装方式または第２の態様の第３の可能な実装方式を参照して、第４の可能な実装方式では、当該プロセッサは特に、処理、即ち、スクランブリング、チャネル符号化、および速度マッチングを、複数のアップリンク・スケジューリング情報に別々に実施し、全ての処理されたアップリンク・スケジューリング情報を多重化することによってアップリンク・スケジューリング情報グループを生成し、当該アップリンク・スケジューリング情報グループをダウンリンク制御チャネルで運搬し、当該通信インタフェースを用いることによって当該アップリンク・スケジューリング情報グループを送信端に送信するように構成される。
【００１６】
第２の態様の第２の可能な実装方式または第２の態様の第３の可能な実装方式を参照して、第５の可能な実装方式では、当該プロセッサは特に、複数のアップリンク・スケジューリング情報を多重化することによってアップリンク・スケジューリング情報グループを生成し、処理、即ち、スクランブリング、チャネル符号化、および速度マッチングを、当該アップリンク・スケジューリング情報グループに実施し、当該処理されたアップリンク・スケジューリング情報グループをダウンリンク制御チャネルで運搬し、当該通信インタフェースを用いることによって当該アップリンク・スケジューリング情報グループを送信端に送信するように構成される。
【００１７】
第３の態様によれば、本発明の１実施形態ではデータ送信方法を提供する。データ・フロー識別子と物理層送信技術識別子の間のマッピング情報が送信端に格納され、当該マッピング情報は、データ・フロー識別子と物理層送信技術識別子の間の対応関係を含み、当該方法は、送信端によって、スケジュールすべきデータ・フローを決定するステップと、送信端によって、当該マッピング情報から、当該データ・フローのデータ・フロー識別子に従って、当該データ・フローに対応する物理層送信技術識別子を決定するステップと、送信端によって、異なるトランスポート・ブロックを様々な物理層送信技術識別子に対応するデータ・フローに従って生成して、当該トランスポート・ブロックを用いることによって当該データ・フローを受信端に送信するステップであって、各物理層送信技術識別子はトランスポート・ブロックの１つのタイプに対応する、ステップと、送信端によって、当該物理層送信技術識別子に対応する物理層送信技術に従って、当該物理層送信技術識別子に対応するトランスポート・ブロックに処理を実施することによって無線通信データを生成するステップと、送信端によって、当該無線通信データを受信端に送信するステップとを含む。
【００１８】
第３の態様の第１の可能な実装方式では、送信端が基地局であり受信端がユーザ機器であるとき、送信端によって、無線通信データを受信端に送信する前に、当該方法はさらに、送信端によって、当該無線通信データに対応するダウンリンク・スケジューリング情報を受信端に送信するステップを含む。当該ダウンリンク・スケジューリング情報は当該無線通信データに対応する物理層送信技術識別子を運搬し、その結果、受信端が当該物理層送信技術識別子に対応する物理層送信技術に従って当該無線通信データを解析することによって当該トランスポート・ブロックを取得し、当該データ・フローを取得する。
【００１９】
第３の態様の第１の可能な実装方式を参照して、第２の可能な実装方式では、送信端によって、無線通信データに対応するダウンリンク・スケジューリング情報を受信端に送信するステップは特に、送信端によって、処理、即ち、スクランブリング、チャネル符号化、および速度マッチングを複数の無線通信データに対応するダウンリンク・スケジューリング情報に別々に実施するステップと、送信端によって、全ての処理されたダウンリンク・スケジューリング情報を多重化することによってダウンリンク・スケジューリング情報グループを生成するステップと、送信端によって、当該ダウンリンク・スケジューリング情報グループをダウンリンク制御チャネルで運搬し、当該ダウンリンク・スケジューリング情報グループを受信端に送信するステップとである。
【００２０】
第３の態様の第１の可能な実装方式を参照して、第３の可能な実装方式では、送信端によって、無線通信データに対応するダウンリンク・スケジューリング情報を受信端に送信するステップは特に、送信端によって、複数の無線通信データに対応するダウンリンク・スケジューリング情報を多重化することによってダウンリンク・スケジューリング情報グループを生成するステップと、送信端によって、処理、即ち、スクランブリング、チャネル符号化、および速度マッチングを、当該ダウンリンク・スケジューリング情報グループに実施するステップと、送信端によって、処理されたダウンリンク・スケジューリング情報グループをダウンリンク制御チャネルで運搬し、当該処理されたダウンリンク・スケジューリング情報グループを受信端に送信するステップとである。
【００２１】
第３の態様の第４の可能な実装方式では、送信端がユーザ機器であり受信端が基地局であるとき、送信端によって、スケジュールすべきデータ・フローを決定する前に、当該方法はさらに、送信端によって、受信端により送信されたアップリンク・スケジューリング情報を受信するステップであって、当該アップリンク・スケジューリング情報は当該物理層送信技術識別子に対応する時間周波数リソース情報を運搬する、ステップを含み、送信端によって、当該無線通信データを受信端に送信するステップは特に、送信端によって、当該物理層送信技術識別子に対応する時間周波数リソース情報に従って、当該無線通信データに対応する物理層送信技術に対応する時間周波数リソースを決定するステップと、受信端が、当該無線通信データに使用される時間周波数リソースに対応する物理層送信技術に従って当該無線通信データを解析することによって当該トランスポート・ブロックを取得し、当該データ・フローを取得するように、送信端によって、当該時間周波数リソースを用いることによって、当該無線通信データを受信端に送信するステップとである。
【００２２】
第３の態様の第４の可能な実装方式を参照して、第５の可能な実装方式では、当該アップリンク・スケジューリング情報はさらに、データ・フロー識別子と物理層送信技術識別子の間の対応関係を運搬し、送信端によって、スケジュールすべきデータ・フローを決定する前に、当該方法はさらに、送信端によって、当該データ・フロー識別子と当該アップリンク・スケジューリング情報で運搬される物理層送信技術識別子との間の対応関係に従って当該マッピング情報を更新するステップを含む。
【００２３】
第４の態様によれば本発明の１実施形態ではデータ送信方法を提供する。当該方法は、受信端により、送信端により送信された無線通信データを受信するステップと、受信端により、当該無線通信データに対応する物理層送信技術を決定するステップと、受信端により、当該決定された物理層送信技術に従って当該無線通信データを解析することによって、当該無線通信データに対応するトランスポート・ブロックを取得するステップと、受信端により、当該無線通信データに対応する当該トランスポート・ブロックに含まれるデータ・フローを取得するステップとを含む。
【００２４】
第４の態様の第１の可能な実装方式では、受信端がユーザ機器であり送信端が基地局であるとき、受信端により、送信端により送信された無線通信データを受信する前に、当該方法はさらに、受信端により、当該無線通信データに対応し送信端により送信されたダウンリンク・スケジューリング情報を受信するステップを含む。当該ダウンリンク・スケジューリング情報は当該無線通信データに対応する物理層送信技術識別子を運搬し、受信端により、当該無線通信データに対応する物理層送信技術を決定するステップは特に、受信端により、当該物理層送信技術識別子に従って、当該無線通信データに対応する物理層送信技術を決定するステップである。
【００２５】
第４の態様の第２の可能な実装方式では、受信端が基地局であり送信端がユーザ機器であるとき、受信端により、送信端により送信された無線通信データを受信する前に、当該方法はさらに、受信端により、様々な物理層送信技術に対する異なる時間周波数リソースを割り当てるステップと、受信端により、アップリンク・スケジューリング情報を送信端に送信するステップであって、当該アップリンク・スケジューリング情報は当該物理層送信技術識別子に対応する時間周波数リソース情報を運搬し、その結果、送信端が、当該無線通信データに対応する物理層送信技術に対応する時間周波数リソースを決定し、当該決定された時間周波数リソースを用いることによって当該無線通信データを当該通信装置に送信する、ステップとを含む。受信端により、当該無線通信データに対応する物理層送信技術を決定するステップは特に、受信端により、当該無線通信データに使用される時間周波数リソースに従って、当該無線通信データに対応する物理層送信技術を決定するステップである。
【００２６】
第４の態様の第２の可能な実装方式を参照して、第３の可能な実装方式では、受信端により、アップリンク・スケジューリング情報を送信端に送信する前に、当該方法はさらに、受信端により、当該データ・フローに対する物理層送信技術を割り当てるステップであって、当該アップリンク・スケジューリング情報はデータ・フロー識別子と物理層送信技術識別子の間の対応関係を運搬し、その結果、送信端が、当該データ・フロー識別子と当該アップリンク・スケジューリング情報で運搬される物理層送信技術識別子との間の対応関係に従って、データ・フロー識別子と物理層送信技術識別子の間のマッピング情報を送信端で更新する、ステップを含む。
【００２７】
第４の態様の第２の可能な実装方式または第４の態様の第３の可能な実装方式を参照して、第４の可能な実装方式では、受信端により、アップリンク・スケジューリング情報を送信端に送信するステップは特に、受信端により、処理、即ち、スクランブリング、チャネル符号化、および速度マッチングを、複数のアップリンク・スケジューリング情報に別々に実施するステップと、受信端により、全ての処理されたアップリンク・スケジューリング情報を多重化することによって、アップリンク・スケジューリング情報グループを生成するステップと、受信端により、当該アップリンク・スケジューリング情報グループをダウンリンク制御チャネルで運搬し、当該アップリンク・スケジューリング情報グループを送信端に送信するステップとである。
【００２８】
第４の態様の第２の可能な実装方式または第４の態様の第３の可能な実装方式を参照して、第５の可能な実装方式では、受信端により、アップリンク・スケジューリング情報を送信端に送信するステップは特に、受信端により、複数のアップリンク・スケジューリング情報を多重化することによって、アップリンク・スケジューリング情報グループを生成するステップと、受信端により、処理、即ち、スクランブリング、チャネル符号化、および速度マッチングを、当該アップリンク・スケジューリング情報グループに実施するステップと、受信端により、処理されたアップリンク・スケジューリング情報グループをダウンリンク制御チャネルで運搬するステップと、当該アップリンク・スケジューリング情報グループを送信端に送信するステップとである。
【００２９】
上述の解決策によれば、送信端が、データ・フロー識別子と物理層送信技術識別子の間のマッピング情報から、データ・フローの識別子に従って、当該データ・フローに対応する物理層送信技術を決定し、様々な物理層送信技術識別子に対応するデータ・フローに従って異なるトランスポート・ブロックを生成し、当該物理層送信技術識別子に対応する物理層送信技術に従って、当該物理層送信技術識別子に対応するトランスポート・ブロックに処理を実施することによって無線通信データを生成し、当該無線通信データを受信端に送信する。上述の解決策によれば、様々な物理層送信技術を同一のユーザ機器の複数のデータ・フローに使用して、スペクトルのリソースを十分に使用し、送信効率を向上させうることが分かりうる。
【図面の簡単な説明】
【００３０】
【図１】本発明の実施形態１に従う通信装置の略構造図である。
【図１Ａ】本発明の実施形態１に従うデータ・トランスポート・ブロックを生成する略流れ図である。
【図１Ｂ】本発明の実施形態１に従うダウンリンク・スケジューリング情報を送信する略流れ図である。
【図１Ｃ】本発明の実施形態１に従うダウンリンク・スケジューリング情報を送信する別の略流れ図である。
【図２】本発明の実施形態２に従う通信装置の略構造図である。
【図３】本発明の実施形態３に従うデータ送信方法の略流れ図である。
【図４】本発明の実施形態４に従うデータ送信方法の略流れ図である。
【図５】本発明の１実施形態に従う物理層送信技術識別子の単純な略図である。
【発明を実施するための形態】
【００３１】
本発明の目的、技術的解決策、および利点をより明確にするために、以下ではさらに添付図面を参照して本発明を詳細に説明する。明らかに、説明した実施形態は本発明の諸実施形態の一部にすぎず全部ではない。当業者が創造的努力なしに本発明の諸実施形態に基づいて得る他の全ての実施形態は本発明の保護範囲に入るものとする。
【００３２】
以下では図１を１例として使用して本発明の実施形態１に従う通信装置を詳細に説明する。図１に示すように、図１は、本発明の実施形態１に従う通信装置の略構造図である。当該実施形態では、当該通信装置が送信端装置であり、特に、基地局（アクセス・ポイントとも称されうる）またはユーザ機器であってもよい。当該通信装置が基地局であるとき、受信端はユーザ機器であり、当該通信装置がユーザ機器であるとき、受信端は基地局である。
【００３３】
ユーザ機器が、移動装置、スマートフォン、統合メッセージング装置（Ｉｎｔｅｇｒａｔｅｄ  Ｍｅｓｓａｇｉｎｇ  Ｄｅｖｉｃｅ、略してＩＭＤ）、パーソナル・コンピュータ（Ｐｅｒｓｏｎａｌ  Ｃｏｍｐｕｔｅｒ、略してＰＣ）、ノートブック・コンピュータ、携帯情報端末（Ｐｅｒｓｏｎａｌ  Ｄｉｇｉｔａｌ  Ａｓｓｉｓｔａｎｔ、略してＰＤＡ）、またはタブレット・コンピュータのような任意の端末装置であってもよい。当該ユーザ機器をまた、様々な交通車両に配置してもよく、またはウェラブル装置に配置してもよい。
【００３４】
当該通信装置は、メモリ１１０、プロセッサ１２０、および通信インタフェース１３０を備える。
【００３５】
メモリ１１０は、データ・フロー識別子と物理層送信技術識別子の間のマッピング情報を格納するように構成される。
【００３６】
当該マッピング情報は、データ・フロー識別子と物理層送信技術識別子の間の対応関係を含む。
【００３７】
当該データ・フロー識別子が特に、データ・フローに対応する論理チャネル識別子（Ｌｏｇｉｃａｌ  ｃｈａｎｎｅｌ  ｉｄｅｎｔｉｆｉｅｒ、ＬＣＩＤ）、即ち、媒体アクセス制御（Ｍｅｄｉａ  Ａｃｃｅｓｓ  Ｃｏｎｔｒｏｌ、略してＭＡＣ）サブレイヤでのＬＣＩＤ、データ・フローが当該通信装置内で実装されているときパケットデータ集線プロトコル（Ｐａｃｋｅｔ  Ｄａｔａ  Ｃｏｎｖｅｒｇｅｎｃｅ  Ｐｒｏｔｏｃｏｌ、略してＰＤＣＰ）サブレイヤまたは無線リンク制御（Ｒａｄｉｏ  Ｌｉｎｋ  Ｃｏｎｔｒｏｌ、略してＲＬＣ）サブレイヤで使用される機能エンティティ番号、または、当該データ・フローが異なる通信装置内で実装されているときデータ・フローを識別するネットワーク送信ポート番号またはトンネル・エンドポイント識別子であってもよい。物理層送信技術は、プロセスを処理する物理層データで使用される全ての技術、即ち、ＵＦＭＣ、ＦＢＭＣ、ＧＦＤＭ、ＢＦＤＭ、またはＯＦＤＭのような波形技術、Ｔｕｒｂｏコード、Ｐｏｌａｒコード、またはＬＤＰＣコードのような符号化技術、１２８−ＱＡＭ、２５６−ＱＡＭ、または５１２−ＱＡＭのような高次変調技術、およびＭＩＭＯ空間変調技術を含む。本発明ではそれに対して限定は課されない。当該物理層送信技術識別子が、上述の物理層送信技術の識別子の１つまたは組合せであってもよい。
【００３８】
当該マッピング情報が表１または表２に示す形であってもよく、または、別の形であってもよく、本発明の当該実施形態ではそこに限定は課されない。
【００３９】
【表１】
0006343025.tif 000002
【００４０】
【表２】
0006343025.tif 000003
【００４１】
当該物理層送信技術が様々なサブレイヤの様々な技術を含んでもよく、したがって、表１または表２で示すマルチレベルのテーブルのマッピング方式を物理層送信技術識別子とデータ・フロー識別子の間のマッピングに使用してもよい。当該テーブルの各レベルは、データ・フローと対応するサブレイヤの技術との間のマッピング関係を示す。階層化された識別を、様々な技術を組み合わせ、統一されたまたは組み合わされた物理層送信技術識別子を用いることによって実施してもよい。階層化された識別の方法を図５に示す。ｍ１ビットは波形技術を識別し、ｍ２ビットは符号化技術を識別し、ｍ３ビットは変調技術を識別する、等である。マッピング・テーブルのインスタンスを表３に示す。物理層送信技術識別子は５ビットで識別され、高次の２ビットは波形技術を識別し、低次の３ビットは符号化技術を識別する。
【００４２】
【表３】
0006343025.tif 000004
【００４３】
プロセッサ１２０は、スケジュールすべきデータ・フローを決定し、マッピング情報から、当該スケジュールすべきデータ・フローのデータ・フロー識別子に従って、当該データ・フローに対応する物理層送信技術識別子を決定し、様々な物理層送信技術識別子に対応するデータ・フローに従って異なるトランスポート・ブロックを生成し、当該物理層送信技術識別子に対応する物理層送信技術に従って、当該物理層送信技術識別子に対応するトランスポート・ブロックに処理を実施することによって無線通信データを生成し、通信インタフェース１３０を用いることによって当該無線通信データを受信端に送信するように構成され、各物理層送信技術識別子はトランスポート・ブロックの１つのタイプに対応する。当該スケジュールすべきデータ・フローを異なる送信サブレイヤでのまたは複数のサブレイヤに対して決定できることを当業者は理解でき、本明細書では、ＭＡＣサブレイヤは以下における説明のための１例として使用され、ここでは再度詳細に説明することはしない。
【００４４】
具体的な例では、プロセッサ１２０は、スケジュールすべきデータ・フローを決定し、マッピング情報から、当該スケジュールすべきデータ・フローのデータ・フロー識別子に従って、当該データ・フローに対応する物理層送信技術識別子を決定し、同一の物理層送信技術に対応するデータ・フローに従って、同じタイプのトランスポート・ブロックを生成し、当該様々な物理層送信技術に対応するデータ・フローに従って異なるトランスポート・ブロックを生成するようにＭＡＣサブレイヤを制御する。
【００４５】
特に、同一の物理層送信技術に対応する異なるデータ・フローに対して、トランスポート・ブロックのような当該物理層送信技術の通信リソースを多重化してもよい。例えば、図１Ａに示すように、プロセッサ１２０は、コントローラ、ＭＡＣサブレイヤ・スケジューラ、およびＰＨＹ層での複数の処理モジュールを含む（様々な物理層送信技術は異なる処理モジュールに対応する）。データ・フロー１、３、およびｍは同一の物理層送信技術識別子ＰＨＹ１に対応し、時間周波数リソースに多重化してもよく、プロセッサ１２０内のコントローラが、データ・フロー１、３、およびｍに従ってトランスポート・ブロック１を生成するようにＭＡＣサブレイヤ・スケジューラを制御する。データ・フロー２は物理層送信技術識別子ＰＨＹ２に対応し、プロセッサ１２０内のコントローラは、データ・フロー２に従ってトランスポート・ブロック２を生成するように当該ＭＡＣサブレイヤ・スケジューラを制御する。次いで、プロセッサ１２０内のＰＨＹ層でのＰＨＹ１処理モジュールは、ＰＨＹ１に対応する物理層送信技術を用いることによってトランスポート・ブロック１に処理を実施することによって対応する無線通信データ１を生成し、プロセッサ１２０内のＰＨＹ層でのＰＨＹ２処理モジュールは、ＰＨＹ２に対応する物理層送信技術を用いることによってトランスポート・ブロック２に処理を実施することによって対応する無線通信データ２を生成する。
【００４６】
任意選択で、通信装置が基地局であり受信端がユーザ機器であるとき、プロセッサ１２０は、通信インタフェース１３０を用いることによって無線通信データを受信端に送信する前に、通信インタフェース１３０を用いることによって当該無線通信データに対応するダウンリンク・スケジューリング情報を受信端に送信するようにさらに構成される。当該ダウンリンク・スケジューリング情報は当該無線通信データに対応する物理層送信技術識別子を運搬し、その結果、受信端が当該物理層送信技術識別子に対応する物理層送信技術に従って当該無線通信データを解析することによって当該トランスポート・ブロックを取得し、当該データ・フローを取得する。
【００４７】
特に、図１Ｂに示すように、プロセッサ１２０は、処理、即ち、スクランブリング、チャネル符号化、および速度マッチングを、複数の無線通信データに対応するダウンリンク・スケジューリング情報に別々に実施して、全ての処理されたダウンリンク・スケジューリング情報を多重化してダウンリンク・スケジューリング情報グループを生成し、当該ダウンリンク・スケジューリング情報グループをダウンリンク制御チャネルで運搬し、通信インタフェース１３０を用いることによって当該ダウンリンク・スケジューリング情報グループを受信端に送信する。あるいは、図１Ｃに示すように、プロセッサ１２０は、当該複数の無線通信データに対応するダウンリンク・スケジューリング情報を多重化してダウンリンク・スケジューリング情報グループを生成し、処理、即ち、スクランブリング、チャネル符号化、および速度マッチングを、当該ダウンリンク・スケジューリング情報グループに実施し、処理されたダウンリンク・スケジューリング情報グループをダウンリンク制御チャネルで運搬し、通信インタフェース１３０を用いることによって当該処理されたダウンリンク・スケジューリング情報グループを受信端に送信する。
【００４８】
任意選択で、通信装置がユーザ機器であり受信端が基地局であるとき、プロセッサ１２０は、スケジュールすべきデータ・フローを決定する前に、通信インタフェース１３０を用いることによって、受信端により送信されたアップリンク・スケジューリング情報を受信するようにさらに構成される。当該アップリンク・スケジューリング情報は当該物理層送信技術識別子に対応する時間周波数リソース情報を運搬する。
【００４９】
次いで、プロセッサ１２０が無線通信データを送信する具体的なプロセスは以下の通り、即ち、当該物理層送信技術識別子に対応する時間周波数リソース情報に従って、当該無線通信データに対応する物理層送信技術に対応する時間周波数リソースを決定するステップと、受信端が、当該無線通信データに使用される時間周波数リソースに対応する物理層送信技術に従って当該無線通信データを解析することによって当該トランスポート・ブロックを取得し、当該データ・フローを取得するように、当該決定された時間周波数リソースを用いることによって当該無線通信データを受信端に送信するステップとである。
【００５０】
さらに、当該アップリンク・スケジューリング情報がさらに、データ・フロー識別子と物理層送信技術識別子の間の対応関係を運搬してもよい。スケジュールすべきデータ・フローを決定する前に、プロセッサ１２０をさらに、データ・フロー識別子とアップリンク・スケジューリング情報で運搬される物理層送信技術識別子との間の対応関係に従って、メモリ１１０に格納された当該データ・フロー識別子と当該物理層送信技術識別子の間の当該マッピング情報を更新するように構成してもよい。
【００５１】
本発明の実施形態１で提供する通信装置を用いることによって、通信装置が基地局である場合、当該基地局は同一のユーザ機器の複数のデータ・フローに対して様々な物理層送信技術を使用でき、通信装置がユーザ機器である場合、当該ユーザ機器は当該複数のデータ・フローに対して当該様々な物理層送信技術を使用でき、その結果、スペクトルのリソースが十分に使用され送信効率が向上する。
【００５２】
以下では図２を１例として使用して本発明の実施形態２に従う通信装置を詳細に説明する。図２に示すように、図２は、本発明の実施形態２に従う通信装置の略構造図である。当該実施形態では、当該通信装置は受信端装置であり、特に、基地局またはユーザ機器であってもよい。当該通信装置が基地局であるとき、送信端はユーザ機器であり、当該通信装置がユーザ機器であるとき、送信端は基地局である。
【００５３】
当該通信装置はプロセッサ２１０と通信インタフェース２２０を備える。
【００５４】
プロセッサ２１０は、通信インタフェース２２０を用いることによって、送信端により送信された無線通信データを受信し、当該無線通信データに対応する物理層送信技術を決定し、当該決定された物理層送信技術に従って当該無線通信データを解析することによって、当該無線通信データに対応するトランスポート・ブロックを取得し、当該無線通信データに対応する当該トランスポート・ブロックに含まれるデータ・フローを取得するように構成される。
【００５５】
任意選択で、通信装置がユーザ機器であり、送信端が基地局であるとき、プロセッサ２１０は、通信インタフェース２２０を用いることによって、送信端によって送信された無線通信データを受信する前に、通信インタフェース２２０を用いることによって、当該無線通信データに対応し送信端により送信されたダウンリンク・スケジューリング情報を受信するようにさらに構成され、当該ダウンリンク・スケジューリング情報は当該無線通信データに対応する物理層送信技術識別子を運搬する。
【００５６】
対応して、通信装置がユーザ機器であるとき、プロセッサ２１０が無線通信データに対応する物理層送信技術を決定するプロセスは特に、プロセッサ２１０により、当該ダウンリンク・スケジューリング情報で運搬される物理層送信技術識別子に従って、当該無線通信データに対応する物理層送信技術を決定するステップである。
【００５７】
任意選択で、通信装置が基地局であり、送信端がユーザ機器であるとき、プロセッサ２１０は、通信インタフェース２２０を用いることによって、送信端によって送信された無線通信データを受信する前に、様々な物理層送信技術に対して異なる時間周波数リソースを割り当て、通信インタフェース２２０を用いることによってアップリンク・スケジューリング情報を送信端に送信するようにさらに構成される。当該アップリンク・スケジューリング情報は物理層送信技術識別子に対応する時間周波数リソース情報を運搬し、その結果、送信端が、当該無線通信データに対応する物理層送信技術に対応する時間周波数リソースを決定し、当該決定された時間周波数リソースを用いることによって当該無線通信データを当該通信装置に送信する。
【００５８】
対応して、通信装置が基地局であるとき、プロセッサ２１０が無線通信データに対応する物理層送信技術を決定するプロセスは特に、プロセッサ２１０により、当該無線通信データに使用される時間周波数リソースに従って、当該無線通信データに対応する物理層送信技術を決定するステップである。
【００５９】
時間周波数リソースが基地局により割り当てられるので、通信装置が基地局であるケースでは、無線通信データを受信した後、当該基地局は、当該無線通信データに使用される時間周波数リソースに従って、送信端で当該無線通信データに使用される物理層送信技術を決定し、当該決定された物理層送信技術に従って当該無線通信データを解析することができる。
【００６０】
さらに、アップリンク・スケジューリング情報がさらに、データ・フロー識別子と物理層送信技術識別子の間の対応関係を運搬してもよい。プロセッサ２１０は、通信インタフェース２２０を用いることによって当該アップリンク・スケジューリング情報を送信端に送信する前に、当該データ・フローに対して物理層送信技術を割り当てるようにさらに構成される。
【００６１】
特に、全ての送信端が、データ・フロー識別子と物理層送信技術識別子の間のマッピング情報を格納する。当該マッピング情報は、当該データ・フロー識別子と当該物理層送信技術識別子の間の対応関係を含む。当該データ・フロー識別子が、特に当該データ・フローに対応するＬＣＩＤであってもよい。当該物理層送信技術は、ＵＦＭＣ、ＦＢＭＣ、ＧＦＤＭ、ＢＦＤＭ、ＯＦＤＭ等を含む。当該マッピング情報が、図１に示す形であってもよく、または、別の形であってもよく、本発明の当該実施形態ではそこに限定は課されない。
【００６２】
プロセッサ２１０が通信インタフェース２２０を用いることによってアップリンク・スケジューリング情報を送信端に送信するプロセスが特に、プロセッサ２１０により、処理、即ち、スクランブリング、チャネル符号化、および速度マッチングを、複数のアップリンク・スケジューリング情報に別々に実施するステップと、全ての処理されたアップリンク・スケジューリング情報を多重化してアップリンク・スケジューリング情報グループを生成するステップと、当該アップリンク・スケジューリング情報グループをダウンリンク制御チャネルで運搬し、通信インタフェース２２０を用いることによって当該アップリンク・スケジューリング情報グループを送信端に送信するステップとであってもよく、あるいは、プロセッサ２１０により、複数のアップリンク・スケジューリング情報を多重化してアップリンク・スケジューリング情報グループを生成するステップと、処理、即ち、スクランブリング、チャネル符号化、および速度マッチングを、当該アップリンク・スケジューリング情報グループに実施するステップと、処理されたアップリンク・スケジューリング情報グループをダウンリンク制御チャネルで運搬するステップと、通信インタフェース２２０を用いることによって当該処理されたアップリンク・スケジューリング情報グループを送信端に送信するステップとであってもよい。
【００６３】
本発明の実施形態２で提供する通信装置を用いることによって、通信装置が基地局である場合、当該基地局は同一のユーザ機器の複数のデータ・フローに対して様々な物理層送信技術を使用でき、通信装置がユーザ機器である場合、当該ユーザ機器は当該複数のデータ・フローに対して様々な物理層送信技術を使用でき、その結果、スペクトルのリソースが十分に使用され送信効率が向上する。
【００６４】
以下で図３を１例として用いて本発明の実施形態３で提供するデータ送信方法を詳細に説明する。図３に示すように、図３は本発明の実施形態３に従うデータ送信方法の略流れ図である。当該データ送信方法は送信端により実行される。送信端が特に本発明の実施形態１で提供した通信装置であってもよい。
【００６５】
当該データ送信方法は以下のステップを含む。
【００６６】
Ｓ３０１：送信端が、スケジュールすべきデータ・フローを決定する。
【００６７】
Ｓ３０２：送信端が、データ・フロー識別子と物理層送信技術識別子の間のマッピング情報から、当該データ・フローのデータ・フロー識別子に従って、当該データ・フローに対応する物理層送信技術識別子を決定する。
【００６８】
当該データ・フロー識別子と当該物理層送信技術識別子の間のマッピング情報は送信端に格納される。当該マッピング情報は、データ・フロー識別子と物理層送信技術識別子の間の対応関係を含む。
【００６９】
当該データ・フロー識別子が特に当該データ・フローに対応する論理チャネル識別子ＬＣＩＤであってもよい。物理層送信技術は、ＵＦＭＣ、ＦＢＭＣ、ＧＦＤＭ、ＢＦＤＭ、ＯＦＤＭ等を含む。
【００７０】
当該マッピング情報が、図１に示す形であってもよく、または、別の形であってもよく、本発明の当該実施形態ではそこに限定は課されない。
【００７１】
Ｓ３０３：送信端が、様々な物理層送信技術識別子に対応するデータ・フローに従って異なるトランスポート・ブロックを生成する。各物理層送信技術識別子はトランスポート・ブロックの１つのタイプに対応する。
【００７２】
特に、送信端のＭＡＣサブレイヤが、スケジュールすべきデータ・フローを決定し、当該マッピング情報から当該スケジュールすべきデータ・フローのデータ・フロー識別子に従って、当該データ・フローに対応する物理層送信技術識別子を決定し、同一の物理層送信技術に対応するデータ・フローに従って、同じタイプのトランスポート・ブロックを生成し、異なるトランスポート・ブロックを様々な物理層送信技術に対応するデータ・フローに従って生成する。
【００７３】
Ｓ３０４：送信端が、物理層送信技術識別子に対応する物理層送信技術に従って、当該物理層送信技術識別子に対応するトランスポート・ブロックに処理を実施することによって無線通信データを生成する。
【００７４】
特に、同一の物理層送信技術に対応する異なるデータ・フローに対して、トランスポート・ブロックのような当該物理層送信技術の通信リソースを多重化してもよい。例えば、データ・フロー１、３、およびｍが同一の物理層送信技術識別子ＰＨＹ１に対応する場合、データ・フロー１、３、およびｍを多重化してもよく、トランスポート・ブロック１がデータ・フロー１、３、およびｍに従って送信端のＭＡＣサブレイヤで生成され、データ・フロー２が物理層送信技術識別子ＰＨＹ２に対応する場合、トランスポート・ブロック２はデータ・フロー２に従って送信端のＭＡＣサブレイヤで生成される。次いで、送信端のＰＨＹ層は、ＰＨＹ１に対応する物理層送信技術を用いることによってトランスポート・ブロック１に処理を実施することによって対応する無線通信データ１を生成し、ＰＨＹ２に対応する物理層送信技術を用いることによってトランスポート・ブロック２に処理を実施することによって対応する無線通信データ２を生成する。
【００７５】
Ｓ３０５：送信端が当該無線通信データを受信端に送信する。
【００７６】
当該無線通信データを受信した後、受信端は、当該無線通信データに対応する物理層送信技術を用いることによって当該無線通信データを解析することによって当該トランスポート・ブロックを取得し、次いで、当該トランスポート・ブロックに含まれるデータ・フローを取得する。
【００７７】
任意選択で、送信端が基地局であり受信端がユーザ機器であるとき、Ｓ３０５の前に、当該方法はさらに、送信端によって、無線通信データに対応するダウンリンク・スケジューリング情報を受信端に送信するステップであって、当該ダウンリンク・スケジューリング情報は当該無線通信データに対応する物理層送信技術識別子を運搬し、その結果、受信端が当該物理層送信技術識別子に対応する物理層送信技術に従って当該無線通信データを解析することによって当該トランスポート・ブロックを取得し、当該データ・フローを取得する、ステップを含む。
【００７８】
特に、送信端は、処理、即ち、スクランブリング、チャネル符号化、および速度マッチングを、複数の無線通信データに対応するダウンリンク・スケジューリング情報に別々に実施し、全ての処理されたダウンリンク・スケジューリング情報を多重化してダウンリンク・スケジューリング情報グループを生成し、当該ダウンリンク・スケジューリング情報グループをダウンリンク制御チャネル上で運搬し、当該ダウンリンク・スケジューリング情報グループを受信端に送信し、あるいは、複数の無線通信データに対応するダウンリンク・スケジューリング情報を多重化してダウンリンク・スケジューリング情報グループを生成し、処理、即ち、スクランブリング、チャネル符号化、および速度マッチングを、当該ダウンリンク・スケジューリング情報グループに実施し、処理されたダウンリンク・スケジューリング情報グループをダウンリンク制御チャネル上で運搬し、当該処理されたダウンリンク・スケジューリング情報グループを受信端に送信する。
【００７９】
任意選択で、送信端がユーザ機器であり受信端が基地局であるとき、Ｓ３０１の前に当該方法はさらに、送信端によって、受信端により送信されたアップリンク・スケジューリング情報を受信するステップであって、当該アップリンク・スケジューリング情報は当該物理層送信技術識別子に対応する時間周波数リソース情報を運搬する、ステップを含む。
【００８０】
次いで、Ｓ３０５は特に、当該物理層送信技術識別子に対応する時間周波数リソース情報に従って、当該無線通信データに対応する物理層送信技術に対応する時間周波数リソースを決定するステップと、受信端が、当該無線通信データに使用される時間周波数リソースに対応する物理層送信技術に従って当該無線通信データを解析することによって当該トランスポート・ブロックを取得して当該データ・フローを取得するように、当該決定された時間周波数リソースを用いることによって、当該無線通信データを受信端に送信するステップとである。
【００８１】
さらに、当該アップリンク・スケジューリング情報がさらに、データ・フロー識別子と物理層送信技術識別子の間の対応関係を運搬してもよい。次いで、Ｓ３０１の前に、当該方法がさらに、当該データ・フロー識別子と当該アップリンク・スケジューリング情報で運搬される物理層送信技術識別子との間の対応関係に従って、当該マッピング情報を更新するステップを含んでもよい。
【００８２】
本発明の実施形態３で提供したデータ送信方法を用いることによって、送信端が基地局である場合、当該基地局は同一のユーザ機器の複数のデータ・フローに対して様々な物理層送信技術を使用でき、送信端がユーザ機器である場合、当該ユーザ機器は当該複数のデータ・フローに対して当該様々な物理層送信技術を使用でき、その結果、スペクトルのリソースが十分に使用され送信効率が向上する。
【００８３】
以下では図４を１例として使用して、本発明の実施形態４で提供するデータ送信方法を詳細に説明する。図４に示すように、図４は、本発明の実施形態４に従うデータ送信方法の略流れ図である。当該データ送信方法は受信端により実行される。受信端が、特に本発明の実施形態２で提供した通信装置であってもよい。
【００８４】
当該データ送信方法は以下のステップを含む。
【００８５】
ステップＳ４０１：受信端が、送信端により送信された無線通信データを受信する。
【００８６】
ステップＳ４０２：受信端が、当該無線通信データに対応する物理層送信技術を決定する。
【００８７】
任意選択で、受信端がユーザ機器であり送信端が基地局であるとき、ステップＳ４０１の前に、当該方法はさらに、受信端により、当該無線通信データに対応し送信端により送信されたダウンリンク・スケジューリング情報を受信するステップであって、当該ダウンリンク・スケジューリング情報は当該無線通信データに対応する物理層送信技術識別子を運搬する、ステップを含む。
【００８８】
対応して、ステップＳ４０２は特に、当該ダウンリンク・スケジューリング情報で運搬される物理層送信技術識別子に従って、当該無線通信データに対応する物理層送信技術を決定するステップである。
【００８９】
任意選択で、受信端が基地局であり送信端がユーザ機器であるとき、ステップＳ４０１の前に、当該方法はさらに、受信端により、様々な物理層送信技術に対する異なる時間周波数リソースを割り当てるステップと、アップリンク・スケジューリング情報を送信端に送信するステップであって、当該アップリンク・スケジューリング情報は当該物理層送信技術識別子に対応する時間周波数リソース情報を運搬し、その結果、送信端が、当該無線通信データに対応する物理層送信技術に対応する時間周波数リソースを決定し、当該決定された時間周波数リソースを用いることによって当該無線通信データを受信端に送信する、ステップとを含む。
【００９０】
対応して、ステップＳ４０２は特に、当該無線通信データに使用される時間周波数リソースに従って当該無線通信データに対応する物理層送信技術を決定するステップである。
【００９１】
当該時間周波数リソースが基地局により割り当てられるので、受信端が基地局であるケースでは、当該無線通信データを受信した後、当該基地局は、当該無線通信データに使用される時間周波数リソースに従って、送信端で当該無線通信データに使用される物理層送信技術を決定してもよい。
【００９２】
さらに、当該アップリンク・スケジューリング情報がさらに、データ・フロー識別子と物理層送信技術識別子の間の対応関係を運搬してもよい。次いで、ステップＳ４０１の前に、当該方法はさらに、当該データ・フローに対する物理層送信技術を割り当てるステップを含む。
【００９３】
特に、全ての送信端が、当該データ・フロー識別子と当該物理層送信技術識別子の間のマッピング情報を格納する。当該マッピング情報は、当該データ・フロー識別子と当該物理層送信技術識別子の間の対応関係を含む。当該データ・フロー識別子が、特に当該データ・フローに対応するＬＣＩＤであってもよい。当該物理層送信技術は、ＵＦＭＣ、ＦＢＭＣ、ＧＦＤＭ、ＢＦＤＭ、ＯＦＤＭ等を含む。当該マッピング情報が、図１に示す形であってもよく、または、別の形であってもよく、本発明の当該実施形態ではそこに限定は課されない。
【００９４】
受信端がアップリンク・スケジューリング情報を送信端に送信するプロセスが、特に、受信端により、処理、即ち、スクランブリング、チャネル符号化、および速度マッチングを、複数のアップリンク・スケジューリング情報に別々に実施するステップと、全ての処理されたアップリンク・スケジューリング情報を多重化してアップリンク・スケジューリング情報グループを生成するステップと、当該アップリンク・スケジューリング情報グループをダウンリンク制御チャネル上で運搬するステップと、当該アップリンク・スケジューリング情報グループを送信端に送信するステップであってもよく、あるいは、受信端により、当該複数のアップリンク・スケジューリング情報を多重化してアップリンク・スケジューリング情報グループを生成するステップと、処理、即ち、スクランブリング、チャネル符号化、および速度マッチングを、当該アップリンク・スケジューリング情報グループに実施するステップと、処理されたアップリンク・スケジューリング情報グループをダウンリンク制御チャネル上で運搬するステップと、当該処理されたアップリンク・スケジューリング情報グループを送信端に送信するステップとであってもよい。
【００９５】
ステップＳ４０３：受信端が、当該決定された物理層送信技術に従って当該無線通信データを解析することによって、当該無線通信データに対応するトランスポート・ブロックを取得する。
【００９６】
受信端のＰＨＹ層が、当該決定された物理層送信技術に従って当該無線通信データを解析することによって、当該無線通信データに対応するトランスポート・ブロックを取得する。
【００９７】
ステップＳ４０４：受信端が、当該無線通信データに対応する当該トランスポート・ブロックに含まれるデータ・フローを取得する。
【００９８】
受信端のＭＡＣサブレイヤは、当該無線通信データを解析することによって取得されたトランスポート・ブロックからデータ・フローを取得する。
【００９９】
本発明の実施形態４で提供するデータ送信方法を用いることによって、受信端が基地局である場合、当該基地局は同一のユーザ機器の複数のデータ・フローに対して様々な物理層送信技術を使用でき、受信端がユーザ機器である場合、当該ユーザ機器は当該複数のデータ・フローに対して当該様々な物理層送信技術を使用でき、その結果、スペクトルのリソースが十分に使用され送信効率が向上する。
【０１００】
上述の実施形態の各々に対して、特に、当該データ・フロー識別子と当該物理層送信技術識別子の間の上述のマッピング情報を当該基地局によって確立してもよい。当該基地局がアップリンク・データ接続を当該ユーザ機器に対して確立すると、当該基地局は、各セルのサービス比率に従ってデータ・フローに対して物理層送信技術を割り当てて、当該データ・フロー識別子と当該物理層送信技術識別子の間の当該マッピング情報を確立する。当該マッピング情報が確立された後、当該基地局は、構成情報内の当該マッピング情報を運搬し、当該構成情報を当該基地局に接続された当該ユーザ機器に送信する。
【０１０１】
さらに、基地局が、動的に当該マッピング情報を更新し、各セルのサービス比率の変化に従ってデータ・フローに対して物理層送信技術を再割り当てし、当該データ・フロー識別子と当該物理層送信技術識別子の間のマッピング情報を更新してもよい。当該マッピング情報が更新された後、当該基地局は、アップリンク・スケジューリング情報内のデータ・フロー識別子と物理層送信技術識別子の間の更新された対応関係を運搬し、当該アップリンク・スケジューリング情報を当該ユーザ機器に送信し、その結果、当該ユーザ機器が当該格納されたマッピング情報を更新する。
【０１０２】
基地局がマッピング情報を動的に更新するのではなく固定されたマッピング情報を使用する場合、１つのタイプのみの物理層送信技術をデータ・フロー送信プロセスにおける同一のデータ・フローに使用でき、多重化方式を変更することはできない。基地局がマッピング情報を動的に更新できる場合、様々な物理層送信技術を同一のデータ・フローに使用でき、対応して、多重化方式も変更してもよく、その結果、スペクトルのリソースをより十分に使用でき、送信効率が向上する。
【０１０３】
本明細書で開示した実施形態で説明した例との組合せにおいて、ユニットおよびアルゴリズムのステップを、電子ハードウェア、コンピュータ・ソフトウェア、またはそれらの組合せにより実装してもよいことを当業者はさらに認識できる。ハードウェアとソフトウェアの間の交換可能性を明確に説明するために、以上では、機能に従う各例の構成とステップを一般的に説明した。当該機能がハードウェアまたはソフトウェアにより実施されるかは、技術的解決策の特定の応用例と設計制約条件に依存する。当業者は、異なる方法を使用して、特定の応用例ごとに説明した機能を実装してもよいが、当該実装が本発明の範囲を越えるとは考えるべきではない。
【０１０４】
本明細書で開示した実施形態で説明した方法またはアルゴリズムのステップを、ハードウェア、プロセッサにより実行されるソフトウェア・モジュール、またはその組合せにより実装してもよい。当該ソフトウェア・モジュールを、ランダム・アクセス・メモリ（ＲＡＭ）、メモリ、読取専用メモリ（ＲＯＭ）、電気的プログラム可能ＲＯＭ、電気的消去可能プログラム可能ＲＯＭ、レジスタ、ハード・ディスク、取外し可能ディスク、ＣＤ−ＲＯＭ、または当業界で公知な他の任意の形態の記憶媒体で構成してもよい。
【０１０５】
以上の具体的な実施形態では、本発明の目的、技術的解決策、および利点がさらに詳細に説明されている。上述の説明は本発明の特定の実装方式にすぎず、本発明の保護範囲を限定しようとするものではないことは理解されるべきである。本発明の趣旨と原理から逸脱しない任意の修正、均等な置換え、または改善は本発明の保護範囲内に入るものとする。
【符号の説明】
【０１０６】
１１０  メモリ
１２０  プロセッサ
１３０  通信インタフェース
２１０  プロセッサ
２２０  通信インタフェース
【図１】
0006343025.tif 000005
【図１Ａ】
0006343025.tif 000006
【図１Ｂ】
0006343025.tif 000007
【図１Ｃ】
0006343025.tif 000008
【図２】
0006343025.tif 000009
【図３】
0006343025.tif 000010
【図４】
0006343025.tif 000011
【図５】
0006343025.tif 000012